(57)【要約】【課題】筆記体の本数以上の種類の筆跡が得られ、また、ペンケースやポケット等に収容しても嵩張らず、携帯に便利な多芯筆記具を提供する。【解決手段】軸筒２内に複数の筆記体８を前後方向に移動可能に収容する。筆記体８の後端に操作体５を連結する。軸筒２の側壁に前後方向に延びる複数の窓孔２２を径方向に貫設する。軸筒２の後端に、窓孔２２を後方に開口させる開閉自在の開口部２３を設け、開口部２３を通して筆記体８及び操作体５を連結状態で軸筒２内から取り外し可能且つ軸筒２内に挿入可能に構成する。筆記体８が、前後に連結された複数の筆記芯体４からなる。各々の筆記芯体４が、前端にペン先４１を備え且つ後端に他の筆記芯体４のペン先４１側及び操作体５が着脱自在に連結可能な連結孔を備える。各々の筆記芯体４を前後に連結した際、最後端の筆記芯体４の後端に操作体５を連結する。【選択図】  図４
2011093210.tif 000002
【特許請求の範囲】
【請求項１】
軸筒内に複数の筆記体を前後方向に移動可能に収容し、前記各々の筆記体の後端に操作体を連結し、前記各々の操作体を後方に付勢する複数の弾発体を軸筒内に収容し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、軸筒の後端に、窓孔を後方に開口させる開閉自在の開口部を設け、前記開口部を通して筆記体及び操作体を連結状態で軸筒内から取り外し可能且つ軸筒内に挿入可能に構成した多芯筆記具であって、
前記筆記体が、前後に連結された複数の筆記芯体からなり、前記各々の筆記芯体が、前端にペン先を備え且つ後端に他の筆記芯体のペン先側及び操作体が着脱自在に連結可能な連結孔を備え、前記各々の筆記芯体を前後に連結した際、最後端の筆記芯体の後端に操作体を連結したことを特徴とする多芯筆記具。
【請求項２】
各々の筆記芯体が、ボールペンチップからなるペン先と、該ペン先が前端に固着されたペン先保持筒と、該ペン先保持筒が前端に固着されたインキ収容管とからなり、前記各々のインキ収容管の後端開口部が前記連結孔を構成し、前記各々のペン先保持筒の外面と他の各々のインキ収容管の後端開口部内面とが着脱自在に嵌合可能であり、前記各々のペン先保持筒の外面に溝または突起を形成し、前記ペン先保持筒の外面とインキ収容管の後端開口部内面とが嵌合した際、前記ペン先保持筒の外面と前記インキ収容管の後端開口部内面との間に、インキ収容管内部と外部との通気を可能にする通気路を形成した請求項１記載の多芯筆記具。
【請求項３】
使用時に軸筒内に複数本が収容され、各々の後端に連結した操作体を軸筒の側壁より突出させ、前記操作体を前方にスライド操作することにより軸筒の前端孔からペン先を出没させる多芯筆記具用レフィルであって、
軸筒内に収容される前の状態において、前後に着脱自在に連結される複数の筆記芯体と、最後端の筆記芯体の後端に連結される操作体とからなり、前記筆記芯体が、前端にペン先を備え且つ後端に他の筆記芯体のペン先側及び操作体が着脱自在に連結可能な連結孔を備えたことを特徴とする多芯筆記具用レフィル。
【請求項４】
各々の筆記芯体が、ボールペンチップからなるペン先と、該ペン先が前端に固着されたペン先保持筒と、該ペン先保持筒が前端に固着されたインキ収容管とからなり、前記各々のインキ収容管の後端開口部が前記連結孔を構成し、前記各々のペン先保持筒の外面と他の各々のインキ収容管の後端開口部内面とが着脱自在に嵌合可能であり、前記各々のペン先保持筒の外面に溝または突起を形成し、前記ペン先保持筒の外面とインキ収容管の後端開口部内面とが嵌合した際、前記ペン先保持筒の外面と前記インキ収容管の後端開口部内面との間に、インキ収容管内部と外部との通気を可能にする通気路を形成した請求項３記載の多芯筆記具用レフィル。
【発明の詳細な説明】
【技術分野】
【０００１】
本発明は、多芯筆記具及び多芯筆記具用レフィルに関する。詳細には、軸筒内に複数本の筆記体を前後方向に移動可能に収容した多芯筆記具及び多芯筆記具用レフィルに関する。
【背景技術】
【０００２】
従来、この種の多芯筆記具において、特許文献１には、軸筒内に複数の筆記体を前後方向に移動可能に収容し、前記各々の筆記体を後方に付勢する複数のコイルスプリングを軸筒内に収容し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、軸筒の後端に、窓孔を後方に開口させる開閉自在の開口部を設け、前記開口部を通して筆記体及び操作体を連結状態で軸筒内から取り外し可能且つ軸筒内に挿入可能に構成した多芯筆記具が開示されている。
【先行技術文献】
【特許文献】
【０００３】
【特許文献１】特開２００７−３０２４０号公報
【発明の概要】
【発明が解決しようとする課題】
【０００４】
前記特許文献１の多芯筆記具は、各々筆記体が単一のペン先と単一のインキを有する単一の筆記体であるため、軸筒内に複数本の筆記体を収容したとしても、軸筒内に収容した筆記体の本数に対応した種類の筆跡を得られるに過ぎない。（例えば、軸筒内に３本の筆記体を収容した場合、３種類の筆跡が得られるに過ぎない。）
【０００５】
本発明は前記従来の問題点を解決するものであって、軸筒内に収容する筆記体の本数以上の種類の筆跡が得られ、また、ペンケースやポケット等に収容しても嵩張らず、携帯に便利な多芯筆記具、及び前記多芯筆記具を得るための多芯筆記具用レフィルを提供しようとするものである。
【０００６】
尚、本発明において、「前」とは前端孔側及びペン先側を指し、「後」とはその反対側を指す。
【課題を解決するための手段】
【０００７】
［１］本願の第１の発明は、軸筒２内に複数の筆記体８を前後方向に移動可能に収容し、前記各々の筆記体８の後端に操作体５を連結し、前記各々の操作体５を後方に付勢する複数の弾発体６を軸筒２内に収容し、前記軸筒２の側壁に前後方向に延びる複数の窓孔２２を径方向に貫設し、前記各々の窓孔２２から径方向外方に前記各々の操作体５を突出させ、一つの操作体５を窓孔２２に沿って前方にスライドさせることにより、その一つの操作体５に連結された筆記体８のペン先４１を軸筒２の前端孔２１から突出させるとともに、先に突出状態にあった他の筆記体８のペン先４１を軸筒２内に没入させてなり、軸筒２の後端に、窓孔２２を後方に開口させる開閉自在の開口部２３を設け、前記開口部２３を通して筆記体８及び操作体５を連結状態で軸筒２内から取り外し可能且つ軸筒２内に挿入可能に構成した多芯筆記具であって、前記筆記体８が、前後に連結された複数の筆記芯体４からなり、前記各々の筆記芯体４が、前端にペン先４１を備え且つ後端に他の筆記芯体４のペン先４１側及び操作体５が着脱自在に連結可能な連結孔４３ａを備え、前記各々の筆記芯体４を前後に連結した際、最後端の筆記芯体４の後端に操作体５を連結したことを要件とする。
【０００８】
前記第１の発明の多芯筆記具１は、軸筒２内に収容する筆記体８の本数以上の種類の筆跡が得られ、また、ペンケースやポケット等に収容しても嵩張らないため、携帯に便利となる。
【０００９】
［２］本願の第２の発明は、前記第１の発明の多芯筆記具１において、各々の筆記芯体４が、ボールペンチップからなるペン先４１と、該ペン先４１が前端に固着されたペン先保持筒４２と、該ペン先保持筒４２が前端に固着されたインキ収容管４３とからなり、前記各々のインキ収容管４３の後端開口部が前記連結孔４３ａを構成し、前記各々のペン先保持筒４２の外面と他の各々のインキ収容管４３の後端開口部内面とが着脱自在に嵌合可能であり、前記各々のペン先保持筒４２の外面に溝または突起４２ａを形成し、前記ペン先保持筒４２の外面とインキ収容管４３の後端開口部内面とが嵌合した際、前記ペン先保持筒４２の外面と前記インキ収容管４３の後端開口部内面との間に、インキ収容管４３内部と外部との通気を可能にする通気路を形成したことを要件とする。
【００１０】
前記第２の発明の多芯筆記具１は、各々の筆記芯体４を前後に連結した状態において、何れの筆記芯体４を筆記体８（筆記芯体郡）の最先端に配置しても適正な筆記が可能となる。
【００１１】
［３］本願の第３の発明は、使用時に軸筒２内に複数本が収容され、各々の後端に連結した操作体５を軸筒２の側壁より突出させ、前記操作体５を前方にスライド操作することにより軸筒２の前端孔２１からペン先４１を出没させる多芯筆記具用レフィルであって、軸筒２内に収容される前の状態において、前後に着脱自在に連結される複数の筆記芯体４と、最後端の筆記芯体４の後端に連結される操作体５とからなり、前記筆記芯体４が、前端にペン先４１を備え且つ後端に他の筆記芯体４のペン先４１側及び操作体５が着脱自在に嵌合可能な連結孔４３ａを備えたことを要件とする。
【００１２】
前記第３の発明の多芯筆記具用レフィル９は、軸筒２内に収容するレフィルの本数以上の種類の筆跡が得られ、また、ペンケースやポケット等に収容しても嵩張らないため、携帯に便利な多芯筆記具１が得られる。
【００１３】
［４］本願の第４の発明は、前記第１の発明の多芯筆記具１において、各々の筆記芯体４が、ボールペンチップからなるペン先４１と、該ペン先４１が前端に固着されたペン先保持筒４２と、該ペン先保持筒４２が前端に固着されたインキ収容管４３とからなり、前記各々のインキ収容管４３の後端開口部が前記連結孔４３ａを構成し、前記各々のペン先保持筒４２の外面と他の各々のインキ収容管４３の後端開口部内面とが着脱自在に嵌合可能であり、前記各々のペン先保持筒４２の外面に溝または突起４２ａを形成し、前記ペン先保持筒４２の外面とインキ収容管４３の後端開口部内面とが嵌合した際、前記ペン先保持筒４２の外面と前記インキ収容管４３の後端開口部内面との間に、インキ収容管４３内部と外部との通気を可能にする通気路を形成したことを要件とする。
【００１４】
前記第４の発明の多芯筆記具用レフィル９は、各々の筆記芯体４を前後に連結した状態において、何れの筆記芯体４を筆記体８（筆記芯体郡）の最先端に配置しても適正な筆記が可能となる。
【発明の効果】
【００１５】
本発明の多芯筆記具は、軸筒内に収容する筆記体の本数以上の種類の筆跡が得られ、また、ペンケースやポケット等に収容しても嵩張らないため、携帯に便利となる。
【００１６】
本発明の多芯筆記具用レフィルは、軸筒内に収容するレフィルの本数以上の種類の筆跡が得られ、また、ペンケースやポケット等に収容しても嵩張らないため、携帯に便利な多芯筆記具が得られる。
【図面の簡単な説明】
【００１７】
【図１】本発明の多芯筆記具の実施の形態における全ペン先没入時（非筆記時）を示す縦断面図である。
【図２】図１の多芯筆記具の一つのペン先が突出した状態（筆記時）を示す縦断面図である。
【図３】図１の多芯筆記具の後端の開口部を開口させ、操作体を僅かに引き出した状態を示す側面図である。
【図４】図１の多芯筆記具に用いる筆記体及び操作体の縦断面図である。また、本発明の多芯筆記具用レフィルの実施の形態の縦断面図である。
【図５】図１の多芯筆記具に用いる筆記体及び操作体の縦断面図である。また、本発明の多芯筆記具用レフィルの実施の形態の縦断面図である。
【発明を実施するための形態】
【００１８】
図１乃至図５に本発明の実施の形態を示す。
本実施の形態の多芯筆記具１は、軸筒２内に複数本（具体的には２本）の筆記体８が前後方向に移動可能に収容される。前記各々の筆記体８の後端には操作体５が取り付けられる。前記軸筒２内には、前記筆記体８の本数に対応した複数（具体的には２個）の弾発体６（コイルスプリング）が収容される。前記各々の操作体５は、前記各々の弾発体６により後方に付勢されている。本実施の形態では、軸筒２内に収容する筆記体８の本数は、２本であるが、これ以外にも、例えば、３本、４本、５本、６本であってもよい。
【００１９】
・弾発体
前記弾発体６は、コイルスプリング（具体的には圧縮コイルスプリング）からなる。前記弾発体６の前端部及び後端部には密着巻部が形成される。
【００２０】
・軸筒
前記軸筒２は、先細状の円筒体からなる前軸２ａと、該前軸２ａの後端部と螺合または圧入により取り付けられる円筒状の後軸２ｂとからなる。前記前軸２ａの前端には、筆記体８のペン先４１が突出可能な前端孔２１が前後方向に貫設される。前記前軸２ａ及び後軸２ｂは、合成樹脂（例えば、ポリカーボネイト等）の射出成形により得られる。
【００２１】
前記後軸２ｂの後部の側壁には、複数本（具体的には２本）の前後方向に延びる細長状の窓孔２２が、径方向に貫設される。前記２本の窓孔２２は、互いに、軸線に対して対称の位置（１８０度対称位置）に形成される。また、前記後軸２ｂの後端部には、前後方向に貫通し且つ径方向外方に開口する開口部２３が形成される。前記開口部２３は、後軸２ｂの後端（即ち軸筒２の後端）において各々の窓孔２２と連通され、それにより、各々の窓孔２２後端が後方に切り欠かれて後方に開口されている。一方、前記各々の窓孔２２の前端は常時閉鎖されている。
【００２２】
また、前記後軸２ｂの窓孔２２の相互間の側壁内面には、前後方向に延びるリブよりなる係止壁部２４が一体に形成され、前記係止壁部２４に、ペン先４１が突出した際の筆記体８の操作体５の後端が係止される。尚、前記係止壁部２４は、軸筒２（後軸２ｂ）の内壁に一体に形成してもよいし、軸筒２内に別部材を収容配置することによって設けてもよい。
【００２３】
・隔壁
また、前記軸筒２の内壁（即ち後軸２ｂの内壁）には、前後方向に延び且つ径方向内方に突出する２本のリブよりなる隔壁２５が、軸線に対して対称位置に一体に形成される。前記隔壁２５は、前記係止壁部２４の相互間に形成されるとともに、その前端が、弾発体支持部７の後方且つ窓孔２２の前方に位置される。
【００２４】
前記後軸２ｂの窓孔２２の相互間の側壁外面には、クリップ２６が設けられる。
【００２５】
・弾発体支持部
軸筒２の内壁（即ち後軸２ｂ４の内壁）には、円筒状の弾発体支持部７が固着される。前記弾発体支持部７は、筆記体８が挿通される複数（具体的には２個）の内孔７１が軸方向に貫設されている。筆記体８を軸筒２内に収容した状態において、前記弾発体支持部７の後面と、各々の操作体５の鍔部５５の前面との間には、弾発体６が配置される。前記各々の弾発体６の内部に筆記体８（即ちインキ収容管４３）が遊挿されるとともに、各々の弾発体６の前端は弾発体支持部７の後面より係止され、各々の弾発体６の後端は操作体５の鍔部５５の前面に係止される。尚、前記弾発体支持部７は、軸筒２内壁に一体に形成されてもよい。
【００２６】
また、前記弾発体支持部７の後面の各々の内孔７１の周囲には、周状壁部よりなる保持部７２が形成される。前記各々の保持部７２の内面には、各々の弾発体６の前端部（即ち密着巻部）外面が圧入保持される。即ち、各々の保持部７２により各々の弾発体６の前端部（即ち密着巻部）が径方向内方に保持される。
【００２７】
・蓋部
前記後軸２ｂの後端部には、前記開口部２３を開閉自在にする蓋部３が回動自在に設けられる。前記蓋部３の一端部は、クリップ２６基部に、ヒンジ部３２により回動自在に接続される。前記ヒンジ部３２は、ペン先下向きでクリップ２６を正面視したときのクリップ２６の左右方向に延設され、それにより、前記蓋部３は、略前後方向に回動自在となる。前記蓋部３の前面には、当接壁部３１が形成される。前記当接壁部３１に、ペン先没入状態の筆記体８の後端に連結された各々の操作体５の後端が当接される。
【００２８】
前記蓋部３の他端部の前面には、係合部３３が設けられる（具体的には係合凹部または係合孔部が形成される）。後軸２ｂの後端には、前記係合部３３と係合可能な被係合部２７が設けられる（具体的には係合凸部が突設される）。
【００２９】
前記係合部３３と前記被係合部２７とは、蓋部３が開口部２３を閉鎖した際、互いに係合状態にあり、弾発体６の後方への付勢による操作体５と蓋部３の前面の当接壁部３１との当接では、その係合状態は解除されず、蓋部３が開くことはない。
【００３０】
・多芯筆記具用レフィル（筆記体及び操作体）
図４及び図５に本発明の多芯筆記具用レフィル９の実施の形態を示す。
図４に示す多芯筆記具用レフィル９は、図１の多芯筆記具１に用いるレフィルであり、筆記体８（前後に連結された２本の筆記芯体４）と操作体５とが前後に着脱自在に連結された構成である。図５に示す多芯筆記具用レフィル９は、図１の多芯筆記具１に用いるレフィルであり、筆記体８（前後に連結された３本の筆記芯体４）と操作体５とが前後に着脱自在に連結された構成である。
【００３１】
前記各々の筆記体８は、複数の筆記芯体４が前後に着脱自在に連結される。前記各々の筆記芯体４は、ボールペンレフィル９であり、前端にボールが回転可能に抱持されたボールペンチップ（即ちペン先４１）と、該ボールペンチップを前端に備えたペン先保持筒４２と、該ペン先保持筒４２を前端に備えたインキ収容管４３とからなる。
【００３２】
また、前記ボールペンチップは、前端に回転可能に抱持されたボールをスプリング等により前方に付勢し、前端縁部の内面にボールを密接させる構成でもよい。また、ボールペンチップは、インキ収容管４３の前端開口部に圧入等により直接、取り付けてもよいが、本実施の形態ではペン先保持筒４２を介してインキ収容管４３の前端開口部に固着される。尚、本発明（即ち第１の発明）では、前記筆記芯体４は、ボールペンレフィル以外に、例えば、シャープペンシルレフィル、マーキングペンレフィル、入力ペンレフィル等であってもよい。
【００３３】
前記ペン先保持筒４２の外面には、前後後方に延びる溝または突起４２ａが形成される。一つの筆記芯体４と他の筆記芯体４とを連結させた際、一つの筆記芯体４のペン先保持筒４２の外面と、他の筆記芯体４のインキ収容筒の後端開口部（即ち連結孔４３ａ）の内面とが、着脱自在に嵌合される。その際、前記ペン先保持筒４２の外面と、前記インキ収容筒の後端開口部の内面との間には、インキ収容管４３の内部と外部とを連通する通気路が形成される。また、筆記芯体群（筆記体８）の最後端に配置された筆記芯体４のインキ収容筒の後端開口部（即ち連結孔４３ａ）の内面と、操作体５の嵌合部５４とが、着脱自在に嵌合される。
【００３４】
前記インキ収容管４３の内部には、インキ（例えば、剪断減粘性を有する水性ゲルインキ、低粘度の水性インキ、低粘度の油性インキ、または高粘度の油性インキ）が収容される。前記インキが、剪断減粘性を有する水性ゲルインキ、低粘度の水性インキ、または低粘度の油性インキの場合、インキ収容管４３内のインキの後端には、インキの消費に伴い前進する高粘度流体からなる追従体が充填される。
【００３５】
各々の筆記芯体４を前後に連結した際、筆記体８（筆記芯体郡）の最後端の筆記芯体４の後端に操作体５が着脱自在に連結される。前記各々の操作体５は、後端部に形成され且つ軸筒２の窓孔２２から外部に突出する操作部５１と、該操作部５１の径方向反対側に設けられる前側突出部５２と、該操作部５１の径方向反対側の前側突出部５２の後方に設けられる後側突出部５３と、前端部に形成され且つインキ収容管４３の後端開口部（連結孔４３ａ）に着脱自在に嵌合される嵌合部５４と、該嵌合部５４の後方に形成される鍔部５５とを備える。前記嵌合部５４は、インキ収容管４３の後端開口部に嵌合された際、インキ収容管４３の後端開口部を完全には塞がず、インキ収容管４３の内部と外部とを通気可能にする。また、筆記体８（互いに前後に連結された複数の筆記芯体４）を軸筒２内に収容した状態において、前記鍔部５５の前面に弾発体６の後端が係止される。
【００３６】
筆記体８のペン先４１が軸筒２内に没入状態のとき、その筆記体８に取り付けられた操作体５の後端部は、蓋部３の前面に形成された当接壁部３１に当接される。一方、筆記体８のペン先４１が突出状態のとき、その筆記体８に取り付けられた操作体５の後端部は、軸筒２の内壁に形成された係止壁部２４に係止される。
【００３７】
ペン先没入状態にある筆記体８の後端に連結された操作体５の前側突出部５２は、その操作体５の操作部５１を前方にスライド操作した際、先にペン先突出状態にある他の筆記体８の後端に連結された操作体５の後側突出部５３と当接され、他の筆記体８のペン先突出状態が解除される。
【００３８】
・ペン先の出没
本実施の形態におけるペン先４１の出没作動について説明する（図１及び図２参照）。
一つの操作体５の操作部５１を弾発体６の後方付勢に抗して窓孔２２に沿って前方にスライド操作すると、そのスライド操作された操作体５の前側突出部５２が、先に突出状態にある他の筆記体８の操作体５の後側突出部５３を径方向外方に持ち上げる。それにより、軸筒２内壁の係止壁部２４と操作体５との係止状態が解除され、他の筆記体８が弾発体６の後方付勢により後方に移動され、他の筆記体８前端のペン先４１が軸筒２内に没入され、他の筆記体８の操作体５の後端が蓋部３の前面の当接壁部３１に当接される。前記他の筆記体８のペン先４１の没入と同時に、前記前方にスライド操作した操作体５に連結された筆記体８前端のペン先４１が、軸筒２の前端孔２１より外部に突出されるとともに、前方にスライド操作された操作体５の後端が軸筒２内壁の係止壁部２４に係止され、そのペン先突出状態が維持される。
【００３９】
・多芯筆記具用レフィル（筆記体及び操作体）の交換
本実施の形態における多芯筆記具用レフィル９の交換について説明する。
多芯筆記具用レフィル９を交換する際、蓋部３が軸筒２の後端の開口部２３を閉鎖した状態（図１参照）から、蓋部３のヒンジ部３２と反対側の操作端部を後方に押圧し、係合部３３と被係合部２７との係合を解除し、蓋部３を後方に回動させ、軸筒２の後端の開口部２３を開口する。前記開口部２３を開口させると、前記開口部２３から各々の操作体５が、弾発体６の後方付勢により後方外部に突出される。前記軸筒２の後端の開口部２３が開口した状態（図３参照）で、操作体５を取り出すことにより、その操作体５互いに連結状態にある筆記体８（互いに連結状態にある複数の筆記芯体４）を、前記開口部２３を通して軸筒２内から取り出す。その後、互いに連結状態にある新たな筆記体８（互いに連結状態にある複数の筆記芯体４）と新たな操作体５とを前記開口部２３を通して軸筒２内に挿入する。そして、蓋部３の当接壁部３１に各々の操作体５を当接させ、各々の操作体５を前方に押圧しながら蓋部３を前方に回動させ、その後、係合部３３と被係止部とを係合させ、開口部２３を閉鎖する。これにより、多芯筆記具用レフィル９（筆記体８及び操作体５）の交換作業が終了する。
【００４０】
・筆記芯体の入れ替え
筆記芯体４の入れ替えについて説明する。
前記多芯筆記具用レフィル９を、軸筒２内から取り出した状態または軸筒２内に挿入する前の状態（図４、図５）において、前後に連結された複数の筆記芯体４の順序を入れ替えることにより、筆記使用する筆記芯体４を筆記芯体群の中で最先端に配置させる。
【００４１】
本実施の形態の多芯筆記具１は、軸筒２内に収容する筆記体８の本数以上の種類の筆跡が得られ、また、ペンケースやポケット等に収容しても嵩張らないため、携帯に便利となる。
【００４２】
本実施の形態の多芯筆記具１は、各々の筆記芯体４を前後に連結した状態において、何れの筆記芯体４を筆記体８（筆記芯体郡）の最先端に配置しても適正な筆記が可能となる。
【００４３】
本実施の形態の多芯筆記具用レフィル９は、軸筒２内に収容するレフィルの本数以上の種類の筆跡が得られ、また、ペンケースやポケット等に収容しても嵩張らないため、携帯に便利な多芯筆記具１が得られる。
【００４４】
本実施の形態の多芯筆記具用レフィル９は、各々の筆記芯体４を前後に連結した状態において、何れの筆記芯体４を筆記体８（筆記芯体郡）の最先端に配置しても適正な筆記が可能となる。
【符号の説明】
【００４５】
１  多芯筆記具
２  軸筒
２ａ  前軸
２ｂ  後軸
２１  前端孔
２２  窓孔
２３  開口部
２４  係止壁部
２５  隔壁
２６  クリップ
２７  被係合部
３  蓋部
３１  当接壁部
３２  ヒンジ部
３３  係合部
４  筆記芯体
４１  ペン先（ボールペンチップ）
４２  ペン先保持筒
４２ａ  溝または突起
４３  インキ収容管
４３ａ  連結孔
５  操作体
５１  操作部
５２  前側突出部
５３  後側突出部
５４  嵌合部
５５  鍔部
６  弾発体
７  弾発体支持部
７１  内孔
７２  保持部
８  筆記体
９  多芯筆記具用レフィル
【図１】
2011093210.tif 000003
【図２】
2011093210.tif 000004
【図３】
2011093210.tif 000005
【図４】
2011093210.tif 000006
【図５】
2011093210.tif 000007